(57)【特許請求の範囲】
【請求項１】
弾性力の開放によって本体ケースから引き出し可能にされ、金銭収納ケース部を有する引出を備えた金銭収納装置において、
前記引出に支持され、前記本体ケースに付勢状態で当接されたローラと、
前記本体ケースの前記引き出し方向の途中の位置に取り付けられ、前記ローラと当接する、前記引き出し方向に波状の凹凸部が形成されたストッパとを備え、
前記ストッパの波状の凹凸部は、凹部と、前記凹部の前後の凸部とを含むことを特徴とする金銭収納装置。
【請求項２】
前記金銭収納ケース部は、前記引き出し方向の手前側から硬貨ケースと紙幣ケースとが区分して形成されており、
前記ストッパは、前記引出の前記硬貨ケースが前記本体ケースから引き出された位置で、前記ローラを前記凹部に嵌合することを特徴とする請求項１に記載の金銭収納装置。
【請求項３】
前記ローラの前記本体ケースへの付勢力を調整する付勢力調整部を備えたことを特徴とする請求項１又は２に記載の金銭収納装置。
【請求項４】
前記ストッパの前記引き出し方向の手前側及び奥側の少なくとも一方と、前記本体ケースの内側面との間に所定厚さのスペーサを備えたことを特徴とする請求項１〜３のいずれかに記載の金銭収納装置。
【請求項５】
前記引出に作用する前記弾性力を調整する弾性力調整部を備えたことを特徴とする請求項１〜４のいずれかに記載の金銭収納装置。
【発明の詳細な説明】
【技術分野】
【０００１】
本発明は、ＰＯＳ（ポイントオブセールス）端末や金銭登録機に用いられる金銭収納装置に関する。
【背景技術】
【０００２】
金銭収納装置の引出は、手前側に硬貨入れが、奥側に紙幣収納部が設けられている。金銭登録機にて売上入力後に締めキーを操作すると、金銭収納装置の引出のロック機構が解除されて弾性力を受けて引出が開放される。従来、引出の開放は、硬貨による釣銭の取り出し頻度が高いこと、高額紙幣が人目に触れないようにすること、また引出の引き出し時の衝撃を緩和するとの点から、引出を一気に全部開放することはせず、本体ケースの開口までの途中の半開き位置まで開放する２段階開放装置を採用したものが知られている（例えば特許文献１）。
【先行技術文献】
【特許文献】
【０００３】
【特許文献１】特開２００１−３４８３６号公報
【発明の概要】
【発明が解決しようとする課題】
【０００４】
しかしながら、特許文献１に記載の２段階開放装置は、引出の底面の裏に、長尺のブレーキブロックを備え、一方、ケース本体の底板に、引き出し中のブレーキブロックをその両側面から挟んで制動をかける一対のブレーキと、一対のブレーキを互いに近接する方向に付勢する一対のコイルスプリングを備えた構造を有するもので、機構的に複雑で、また本体ケースの下部にブレーキ機構を内装するための余分な高さ寸法を要する。
【０００５】
本発明は、上記に鑑みてなされたもので、小形かつ簡易な構造で、引出の半開き動作を容易に行わせる金銭収納装置を提供することを目的とする。
【課題を解決するための手段】
【０００６】
本発明は、弾性力の開放によって本体ケースから引き出し可能にされ、上面に金銭入れ部を有する引出を備えた金銭収納装置において、前記引出の奥板に支持され、前記本体ケースの側板の一つに付勢状態で当接されたローラと、前記本体ケースの、前記ローラが当接する側板の内側面上であって、前記引き出し方向の途中の位置に取り付けられ、前記引き出し方向に波状の凹凸部が形成されたストッパとを備えたものである。
【０００７】
本発明によれば、引出は、開放された弾性力を受けて本体ケースから引き出され、金銭入れ部を開放する。このとき、引出は、奥板に支持されたローラがストッパの波状の凹凸部の凹部に嵌ることで移動を停止する。したがって、引出を半開き状態で途中停止することができるので、引出の手前部分が作業者に誤って衝突したりすることが抑制される。また、従来のように、複雑な機構を使用しないので、小形かつ簡易な構造で引出の半開き動作が実現される。なお、ローラは本体ケースの側板のうち底板に当接し、ストッパは本体ケースの側板のうち底板に取付けられることが好ましい。
【０００８】
また、前記金銭収納ケース部は、前記引き出し方向の手前側から硬貨ケースと紙幣ケースとが区分して形成されており、前記ストッパは、前記引出の前記硬貨ケースが前記本体ケースから引き出された位置で、前記ローラを前記凹部に嵌合することを特徴とする。この構成によれば、本体ケースから硬貨ケースの部分のみが開放されるので、頻度の高い硬貨利用に適するものとなり、また高額紙幣を人目に触れなくして犯罪防止に役立たせることが可能となる。
【０００９】
また、前記ストッパの波状の凹凸部は、凹部と、前記凹部の前後の凸部とを含むことを特徴とする。この構成によれば、凹部の前後に凸部を有することで、引出の停止状態が安定する。
【００１０】
また、前記ローラの前記側板への付勢力を調整する付勢力調整部を備えたことを特徴とする。付勢力は引出の移動長に関係するので、付勢力を調整することで、引出を所定の位置で停止させるように調整が可能となる。
【００１１】
また、前記ストッパの前記引き出し方向の手前側及び奥側の少なくとも一方と、前記本体ケースの側板の内側面との間に所定厚さのスペーサを備えたことを特徴とする。この構成によれば、スペーサを介設して本体ケースの側板との嵩の高さを調整することで、ローラの転動時の摩擦力が調整できるので、引出の移動長を所定位置で停止させるように調整が可能となる。
【００１２】
また、前記引出に作用する前記弾性力を調整する弾性力調整部を備えたことを特徴とする。この構成によれば、弾性力を調整して引出の移動長を変えることで、硬貨ケースのサイズ等が異なる金銭収納ケース部に交換された場合でも、引出を硬貨ケースの開放位置で停止させるように調整することが可能となる。
【発明の効果】
【００１３】
本発明によれば、小形かつ簡易な構造で、引出の半開き動作を容易に行わせることができる。
【図面の簡単な説明】
【００１４】
【図１】本発明の第１実施形態に係る金銭収納装置が適用される金銭登録機を示す外観斜視図である。
【図２】ローラ部の一例を示す構成図で、（ａ）は分解斜視図、（ｂ）は側面断面図である。
【図３】ストッパの斜視図である。
【図４】ストッパ上を転動するローラの経時的な位置を説明する概略側面図である。
【図５】ストッパの摩擦力を調整する構成を示す側面図である。
【図６】押出機構の構成を示す概略平面図である。
【発明を実施するための形態】
【００１５】
図１において、金銭登録機１００は、金銭登録機本体１と金銭登録機本体１を載置する金銭収納装置２とを備えている。金銭登録機本体１は、売上商品の金額を入力するテンキー、商品売上の登録を終了した時点で操作される締めキーを含む各種のキーを備えたキーボード１１、及び入力内容、操作ガイド乃至は必要な情報を表示する表示器１２を備えている。
【００１６】
金銭収納装置２は、直方体形状を有する本体ケース３と本体ケース３内に差し込まれた引出４とを備えている。本体ケース３は、手前側（前面）に開口を有し、さらに天板３１、底板３２、両側板３３及び図１では見えない奥板で囲まれる内空間に引出４が手前の開口から出し入れ可能にされている。引出４は、上面が開放された箱形で、前板４１、両側板４２及び奥板４３（図２（ａ）参照）を備えている。引出４の上面には硬貨や紙幣を収納する金銭収納ケース部４４が形成され、あるいは金銭収納ケース部４４と同一形状を有する別体のケース部材が設置可能にされている。金銭収納ケース部４４は、図中、矢印Ｘで示す引出方向の手前側の硬貨を収納する硬貨ケース４４１と、その奥側の紙幣を収納する紙幣ケース４４２とが区画されて構成されている。また、硬貨ケース４４１及び紙幣ケース４４２は、それぞれ左右方向に、硬貨、紙幣の種類に応じてさらに区分けされている。
【００１７】
なお、図では見えていないが、公知のように、引出４は、本体ケース３に対して矢印Ｘ（及びその反対）方向に移動可能にされている。例えば、本体ケース３と引出４とは、公知のように、対向する互いの両側板３３，４２の一方ずつに設けられた、手前から奥側に亘って配置されたガイドレール（又はスライドレール）と、ガイドレール上に沿って転動しながら相対移動するコロとによって抜き差し方向に移動可能にされている。
【００１８】
次に、まず図６を用いて、引出４を本体ケース３から引き出すための押出し機構８を説明する。押出し機構８は、本体ケース３に設けられ、例えば弾性力を開放して引出４を引出方向である矢印Ｘ方向に押し出すものである。押出し機構８は、電磁ソレノイド８１、ロック部８２、ばね８３、及び押出しばね８４を備えている。電磁ソレノイド８１は出没するロッド８１１を備え、キーボード１１の所定のキー、例えば締めキーが操作されることに応答して生成される電気的な操作信号によって動作して、ばね８３による引っ張り方向への付勢力に抗して、ロッド８１１を矢印Ａで示す没入方向に引き込む。
【００１９】
ロック部８２は、矢印Ｂで示す方向に正逆回転する中心部と両側に延設された腕部とを有する。基端側（図６の右側）の腕部は、ロッド８１１と係合されており、ロッド８１１の出没動作に連動して中心部が矢印Ｂのように回転する。ロック部８２の他端側には係合爪部８２１が形成されている。係合爪部８２１は、後述するように係止ピン４５を係止するものである。係止ピン４５は、引出４の奥板４３に取付けられており、引出４が本体ケース３に押し込まれた状態では、図６の実線で示すように、係合爪部８２１と係合し、かつ、ばね８３によって係合状態が維持される。押出しばね８４は、引出方向である矢印Ｘ方向に伸縮するように基端側が取付部８５に取付けられるようにして、支持されている。そして、引出４が押し込まれた状態では、押出しばね８４は実線で示すように奥板４３に当接して圧縮された状態にある。そして、図中の破線で示すように、電磁ソレノイド８１が動作して係止ピン４５が係合爪部８２１から外れると、押出しばね８４の弾性力が開放されて奥板４３を付勢して引出４を押し出す。なお、押出し機構８は、電磁式に限定されず、マニュアル式で係止ピン４５との係合を外すことが可能な構成としてもよい。
【００２０】
引出４は、押出しばね８３の弾性力を受けて矢印Ａ方向への移動を開始する一方、後述するように、本体ケース３の手前側の開口から金銭収納ケース部４４の硬貨入れ部４４１の部分が露出する途中位置で停止するようになっている。引出４の途中位置での停止は、引出４の奥板４３に設けられたローラ部５（図２参照）と、本体ケース３の底板３２に設けられたストッパ６（図３参照）とによって実現される。
【００２１】
先ず、ローラ部５は、図２（ａ）、（ｂ）に示すように、天板５１１と天板５１１の両側を屈曲して形成された両側板５１２とを有する基板５１、及び基板５１の両側板５１２の垂直端縁を屈曲して延設された取付板５２を有する。基板５１は、取付板５２の長孔５２１にボルト５８等の締結具を介して引出４の奥板４３の孔４３１に螺着、すなわち奥板４３の外面側（図２（ｂ）参照）に取り付けられている。
【００２２】
基板５１の両側板５１２間には、長尺の揺動部５３が揺動可能に支持されている。揺動部５３は、互いに直交する天井面５３１と側面５３２とを有し、側面５３２の基端側（図２（ｂ）の左方）で回動軸５４を介して基板５１の側板５１２に軸支されている。揺動部５３の先端側には、側面５３２に立設された軸５７１にローラ５７が軸支されている。揺動部５３の回動軸５４と軸５７１との間であって、天板５１１との間には、それぞれの取付部５５１，５５２を介して、付勢部材、例えば圧縮ばね５６が取付けられている。圧縮ばね５６は、ローラ５７を所定の圧力で底板３２に当接させる。
【００２３】
次に、ストッパ６は、図３に示すように、長尺の帯状で所定厚みを有する樹脂又は金属で構成されたものである。ストッパ６は、両端部６１，６５を固定具、例えばボルト７１で底板３２の孔３２１１，３２２１に締結して固設されている。ストッパ６の取付けの向きは、長手方向が矢印Ｘで示す引出４の引出方向に平行となる向きである。また、ストッパ６の取付け位置は、ローラ部５のローラ５７の引出時の移動軌跡と一致する位置、すなわち矢印Ｘで示す引出方向においてローラ５７と一致する位置である。ストッパ６を上記の位置に取付けることで、引出４の引き出し時に、ローラ５７がストッパ６上を転動するようにしている。なお、端部６１は、押出し機構８側であり、引出４が引き出される際に最初にローラ５７が通過する。
【００２４】
ストッパ６は、両端部６１，６５の間に、長手方向に亘って、側面視で波状の凸凹形状を有している。すなわち、ストッパ６の所定位置、例えば中央部には、長手方向に沿って、波状に凸部６２、凹部６３及び凸部６４が少なくとも形成されている。凸部６２、凹部６３及び凸部６４の高さ方向寸法は、それぞれ数ミリメートル（ｍｍ）程度、例えば２〜３ｍｍ程度であり、機構部も用いないことから、引出４と本体ケース３との間のストッパ６の配置に要する隙間を、従来に比してより狭いものとすることができる。
【００２５】
続いて、ローラ５７のストッパ６上の経時的な移動動作を説明する。まず、図４（ａ）では、押出しばね８４が開放されて、引出４に弾性力が作用してローラ５７が底板３２のスタート位置Ｐ１から移動を開始し、ストッパ６の端部６１に乗り上げて、摩擦を受けて減速しながら進行する。次いで、図４（ｂ）に示すように、ローラ５７は、凸部６２に向けて減速しながら進み、図４（ｃ）において、凸部６２を乗り越えて、凹部６３に嵌り込む。ローラ５７は、この凹部６３から次の凸部６４を乗り越えるための移動力を失って停止する。凹部６３部分が波状を有するので、停止時の衝撃は、壁面などに比べると緩和される。押し出しばね８４の弾性力は、ローラ５７が凹部６３に嵌った状態で停止するように予め調整設定されている。この位置は、途中位置Ｐ２に相当する。すなわち、位置Ｐ２は、引出４の金銭収納ケース部４４の硬貨ケース４４１が本体ケース３の手前側の開口から露出した状態の位置に対応する。凹部６３を採用することで、引出４の変動が位置Ｐ２で規制され、停止位置が安定する。
【００２６】
ここで、金銭処理の作業が硬貨のみで済む場合には、作業終了後に、引出４は作業者によって閉じられる。一方、紙幣の入金や釣銭処理が必要な場合には、作業は引出４を更に引き出す処理を行うことになる。図４（ｄ）〜（ｅ）は、作業者がマニュアルで引き出す際の図で、ローラ５７は凸部６４を乗り越えて、位置Ｐ３まで進む。位置Ｐ３は、引出４が最も引き出された状態の位置に対応する。そして、作業終了後に、引出４は作業者によって閉じられる。
【００２７】
本実施形態では、引出４が硬貨ケース４４１の部分のみが露出した途中位置で好適に停止するように設定する必要がある。第２実施形態として、図２において、長孔５２１を奥板４３の高さ方向に形成し、ローラ５７と底板３２との距離を調整することで、ローラ５７の底板３２への当接力、すなわち摩擦力を調整して、引出４の停止を位置Ｐ２に調整することが可能となる。なお、孔４３１を高さ方向の長孔としてもよい。
【００２８】
また、第３実施形態として、図５に示すように、ストッパ６の両端部６１，６５の少なくとも一方に嵩上げ用のスペーサＳＰ１，ＳＰ２を挟み込むことで、ローラ５７が凹部６３で停止するよう調整可能にしてもよい。
【００２９】
また、第４実施形態として、図３において、ストッパ６の両端６１，６５の取付け位置を引出方向にスライド調整可能にするべく、複数の孔３２１１〜３２１ｎ、３２２１〜３２２ｎを設けてもよい。これによれば、硬貨ケース４４１のサイズが異なる金銭収納ケース部４４に交換された場合等に適用可能となる。
【００３０】
また、第５実施形態として、図６において、取付部８５のボルト等の締結具による取付位置を矢印Ｘ方向に調整可能なように長孔８５１とし、これによって押出しばね８４の圧縮エネルギを調整し、開放時の弾性力の大きさの調整、すなわち引出４への初期運動量を調整して凹部６３に嵌った状態で停止させるようにすることができる。
【００３１】
また、前記実施形態では、ストッパ６を波状の凹凸部を凹部６２，６４、凸部６３として説明したが、図３，図４に示すような形状の他、凹部６３の前後両側を滑らかなスロープ（登り勾配、下り勾配）を有する凸部としてもよい。また、端部６１から凸部６２までを底板３２に接する平板状に置き換え、位置Ｐ２で凸部６４以降の形状を有する波状（凸部６４の前後が凹凸の波状に相当）としたものでもよい。
【００３２】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００３３】
２  金銭収納装置
３  本体ケース
４  引出
４４  金銭収納ケース部
４４１  硬貨ケース
４４２  紙幣ケース
５７  ローラ
６  ストッパ
６２，６４  凸部
６３  凹部
５２１  長孔（付勢力調整部）
ＳＰ１，ＳＰ２  スペーサ
８５１  長孔（弾性力調整部）
【図１】
0006605235.tif 000002
【図２】
0006605235.tif 000003
【図３】
0006605235.tif 000004
【図４】
0006605235.tif 000005
【図５】
0006605235.tif 000006
【図６】
0006605235.tif 000007